(57)【要約】改善された装飾と特別な行事向けのギフト包装の簡便さとをもたらすギフト包装パッケージが、提供される。ギフト包装パッケージには、平坦な基部と中心空腔を形成するドーム状カバーとが含まれる。ドーム状カバーは、伸縮可能としてある。収縮状態において、中心空洞内にギフトを配置することができる。その後に、カバーはドーム状構造が形成されるまで拡張し回動させて閉じることができる。好適な実施形態では、ギフト包装パッケージは人が包装ギフトを携えたりクリスマスツリー等の対象にギフト包装紙パッケージを吊るせるようにする鉤或いは把手を含む。
2008545593.tif 000002
【特許請求の範囲】
【請求項１】
平坦な基部と、
前記基部に固定した伸縮可能なカバーで、開放状態と閉包状態に保つことができ、該閉包状態にあるときに前記基部と共に中心空腔を形成し、前記開放状態内のほぼ平坦な収縮状態から前記中心空腔を形成する伸長閉包状態へ前記基部に概ね平行な中心軸周りに伸長させて回動できるようにした前記伸縮可能なカバーと、
前記中心空腔内に配置する取り出し可能なギフトとを備える、ことを特徴とする包装ギフトパッケージ。
【請求項２】
前記筺体を携える携帯手段をさらに備える、請求項１記載の包装ギフトパッケージ。
【請求項３】
前記筺体は紙製とした、請求項１記載の包装ギフトパッケージ。
【請求項４】
前記筺体は補強リブで補強した紙製とした、請求項１記載の包装ギフトパッケージ。
【請求項５】
前記基部は、前記カバーが閉包状態にあるときに該カバーの周縁を越えて側方に延出し、装飾的徴候のための基台を提供する、請求項１記載の包装ギフトパッケージ。
【請求項６】
前記カバーは一体品で構成してあり、該カバーは前記から前記閉包状態から前記開放状態へほぼ１８０度回動する、請求項１記載の包装ギフトパッケージ。
【請求項７】
前記カバーは各部材が前記閉包状態から前記開放状態へほぼ９０度回動する貝殻配置の二部材で構成した、請求項１記載の包装ギフトパッケージ。
【請求項８】
前記基部は、該基部を折り畳むことができるようにするヒンジを含む、請求項１記載の包装ギフトパッケージ。
【請求項９】
人が運べるよう前記基部に固定した把手をさらに備える、請求項１記載の包装ギフトパッケージ。
【請求項１０】
前記把手は１以上の紐を含み、該紐が中間部と前記基部に固定した第１及び第２の端部とを含み、該紐の前記中間部が前記カバー上方を延びて人が保持する、請求項９記載の包装ギフトパッケージ。
【請求項１１】
前記カバーは１以上の孔を含み、前記紐を該孔に挿通させた、請求項１０記載の包装ギフトパッケージ。
【請求項１２】
前記１以上の紐は前記中心軸に概ね平行に延ばした、請求項１０記載の包装ギフトパッケージ。
【請求項１３】
前記１以上の紐は前記中心軸にほぼ垂直に延ばした、請求項１０記載の包装ギフトパッケージ。
【請求項１４】
包装ギフトパッケージを包装し贈る方法であって、
平坦な基部と該基部に固定した伸縮可能なカバーとを有する包装パッケージを用意するステップで、前記カバーは開放状態と閉包状態に保つことができ、該閉包状態にあるときに前記基部と共に中心空腔を形成し、該伸縮可能なカバーを前記開放状態内のほぼ平坦な収縮状態から前記中心空腔を形成する伸長閉包状態へ前記基部に概ね平行な中心軸周りに伸長させて回動できるようにした前記ステップと、
前記カバーを開放状態に置くことで前記包装パッケージを開放するステップと、
前記中心空腔内に取り出し可能なギフトを配置するステップと、
前記カバーを閉包状態に置くことで前記包装パッケージを閉じるステップと、
祝賀行事にて前記包装されたギフトを受取人に贈るステップと、
前記カバーを開放状態へ開放して包装パッケージから前記ギフトを移動させることで前記受取人が前記ギフトを取り出すステップとを含む、ことを特徴とする方法。
【請求項１５】
前記包装ギフトパッケージをホリデーツリーへ固定するステップを含む、請求項１４記載の包装ギフトパッケージを包装し贈る方法。
【請求項１６】
平坦な基部と、
前記平坦な基部に固定した伸縮自在の伸縮中間部で、前記基部上の低姿勢状態へ収縮し、伸長してほぼ環状の構成を形成する中間部と、
前記中間部へ固定した伸縮可能なカバーで、開放状態と閉包状態に保つことができ、該閉包状態にあるときに前記基部と共に中心空腔を形成し、前記開放状態内のほぼ平坦な収縮状態から前記中心空腔を形成する伸長閉包状態へ前記基部に概ね平行な中心軸周りに伸長させて回動できるようにした前記伸縮可能なカバーと、
前記中心空腔内に配置した取り出し可能なギフトとを備える、ことを特徴とする包装ギフトパッケージ。
【請求項１７】
前記筺体を携える携帯手段を備える、請求項１６記載の包装ギフトパッケージ。
【請求項１８】
前記筺体は紙製とした、請求項１６記載の包装ギフトパッケージ。
【請求項１９】
前記筺体は補強リブで補強した紙製とした、請求項１６記載の包装ギフトパッケージ。
【請求項２０】
前記カバーは一体品で構成してあり、該カバーは前記閉包状態から前記開放状態へほぼ１８０度回動する、請求項１６記載の包装ギフトパッケージ。
【請求項２１】
前記カバーは、各部材が前記閉包状態から前記開放状態へほぼ９０度回動する貝殻配置の二部材で構成した、請求項１６記載の包装ギフトパッケージ。
【請求項２２】
前記基部は、前記カバーが閉包状態にあるときに該カバーの周縁を越えて側方に延出し、装飾的特徴のための基台を提供する、請求項１６記載の包装ギフトパッケージ。
【請求項２３】
前記基部は該基部を折り畳めるようにするヒンジを含む、請求項１６記載の包装ギフトパッケージ。
【請求項２４】
人が運べるよう前記基部に固定した把手をさらに備える、請求項１６記載の包装ギフトパッケージ。
【請求項２５】
前記把手は１以上の紐を含み、該紐が中間部と前記基部に固定した第１及び第２の端部とを含み、該紐の前記中間部が前記カバー上方を延びて人により保持される、請求項２４記載の包装ギフトパッケージ。
【請求項２６】
前記カバーは１以上の孔を含み、前記紐を該孔に挿通させた、請求項２５記載の包装ギフトパッケージ。
【請求項２７】
前記１以上の紐は前記中心軸に概ね平行に延ばした、請求項２５記載の包装ギフトパッケージ。
【請求項２８】
前記１以上の紐は前記中心軸にほぼ垂直に延ばした、請求項２５記載の包装ギフトパッケージ。
【請求項２９】
包装ギフトパッケージを包装し贈る方法であって、
平坦な基部と、該基部に固定した伸縮自在に伸縮する中間部で、前記基部上に低姿勢に収縮し、ほぼ環状の構成を形成するよう伸長する前記中間部と、該中間部に固定した伸縮が可能なカバーで、開放位置と閉包位置とに保つことができ、該カバーが前記閉包位置にあるときに前記基部と中間部と該カバーとが中心空腔を形成し、前記伸縮可能なカバーが前記開放状態におけるほぼ平坦な収縮状態から前記中心空腔を形成する伸長閉包状態へ中心軸周りに伸長して回動できるようにした前記伸縮可能なカバーとを有する包装パッケージを用意するステップと、
前記カバーを開放状態に配置し前記中間部をほぼ環状構成へ伸長させることで前記包装パッケージを開放するステップと、
前記中心空腔内に取り出し可能なギフトを配置するステップと、
前記カバーを前記閉包状態に配置することで前記包装パッケージを閉じるステップと、
祝賀行事にて前記包装されたギフトを受取人へ贈るステップと、
前記カバーを開放状態へ開放して前記包装パッケージから前記ギフトを移動させ、受取人が前記ギフトを取り出すステップとを含む、ことを特徴とする方法。
【請求項３０】
前記包装ギフトパッケージをホリデーツリーに固定するステップをさらに含む、請求項２９記載の包装ギフトパッケージを包装し贈る方法。
【発明の詳細な説明】
【技術分野】
【０００１】
本発明は、概ねギフト包装パッケージの分野に関するものである。より具体的には、本発明はギフトを受け取るための調製済み包装に関する。
【背景技術】
【０００２】
ギフト贈呈は、常に人々にとって祝賀機会や行事において愛情や好意や友情を示す一つの方法であった。誕生日や結婚式やパーティや洗礼式や他の社会的行事等の特別な行事の間、出席者がボックスやバッグや受容器や他のコンテナ内に用意したギフトを持参するのは益々当たり前となってきた。一般に、彼又は彼女のギフトをパッケージ内に収められた物についての期待を高めるよう出来得る限り視覚的に魅力を有し頗る際立つよう作成することは、ギフトの贈り主の目標である。店舗では、パッケージが関心を引きかつ祝祭に相応しいものとする目的に合わせ包装紙や蝶飾りやリボンやカードを販売している。ギフト包装用に様々な包装が利用可能であり、パッケージは無数の色や手触りや凝った作りやパターンで提供されている。
【０００３】
包装紙は、ギフト包装の最も一般的な方法である。包装紙は、装飾的に凝った作りと色で覆われた二次元紙で出来ていて、それを裁断してギフトを収納するボックスや他パッケージ周りに整形する。そこでテープや接着剤やリボンを用い、包装紙を適切な配置状態に保つ。その後、包装紙を引き立てるべく各種蝶飾りやリボンを用いることができる。残念ながら、パッケージのギフト包装はしばしば時間を浪費し、もどかしさを味わうものである。必要な包装紙の正しい量を適切に推定し正確に裁断することは、困難である。下敷きボックスへ紙をぴったりとかつこざっぱり取着することもまた、難しいものである。この時間を浪費しもどかしい段取りを避けるため、様々なギフト包装サービスが料金と引き換えに包装紙を用いパッケージを包装することになる。しかしながら、ギフト包装サービスは比較的高価であり、極端に時間を浪費するものである。
【０００４】
近年、飾り立てたバッグが包装紙の使用に代って利用可能となってきた。これらの飾り立てたバッグは、時間が問題であったり或いは箱に詰めて販売することのできない形状の不揃いな物体を贈るときに特に有用である。残念ながら、手で包装されていないパッケージにてギフトを贈ることは気遣いや思い入れの欠如を届けることがある。これは、ギフトを贈ることで届けられることを意図したものとは反対の感情である。
【０００５】
それ故、時間の浪費やもどかしい経験を提示せず、その一方で同時に十分な飾り付けと凝った作りを提供して気遣いと思い遣りの雰囲気を運ぶギフト包装に対する必要性が存在する。
【０００６】
ギフトバッグに比べ高揚した装飾を提供しかつ包装紙の時間浪費経験を必要としない装飾的事前パッケージ化ギフト用コンテナを提供する様々な試みが、為されてきた。例えば、発明者としてＤａｎｉｅｌｓ名義の米国特許出願第２００２／０１９５４８０号にはバッグに様々な追加物を取着して装飾的動物を創作するギフトバッグが記載されている。残念ながら、Ｄａｎｉｅｌｓの特許に記載されたギフトバッグや装飾的動物付属品の旧来の形状は、特にそれ自体を三次元装飾とするものではない。
【０００７】
一方で、発明者としてＭｃＣａｈｅｙ名義の米国特許第６，４２２，３８８号には開蓋可能な蓋を有する各種形状のコンテナが記載されている。把手を引っ張ることにより、コンテナは自動的に閉じる。残念ながら、その構成はかなり高価であり、それ自体を三次元装飾とするものではない。
【０００８】
米国特許第５，８３６，５０８号には、旧来の包装紙を用いる旧来のギフト包装パッケージに見えるパッケージが記載されている。しかしながら、ボックス状コンテナの各部は旧来の包装紙により覆われている。ボックスを閉じると、パッケージはギフト贈り主により包装されたように見える。残念ながら、この意匠はかなり興ざめな六面体形状の旧来のボックスに限定されるものである。
【発明の開示】
【発明が解決しようとする課題】
【０００９】
かくして、使用するのに便利で好都合であって、依然として贈り主がギフトを魅力的で特別なものとするのに十分に気遣っていることを示す贈り物の包装用に改善された構成に対し際立った必要性が存在する。
【００１０】
改善された飾り付けや装飾を提供する包装贈り物を構成する際立った必要性もまた、存在する。
【００１１】
さらに、製造するに廉価である贈り物包装用構造を提供することは好都合な筈である。
【課題を解決するための手段】
【００１２】
簡潔には、本発明によれば、誕生日やクリスマスや記念祭等の祝賀行事において、贈り物にするギフトの包装向けに改善されたパッケージを提供するものである。ギフト包装パッケージは、平坦な基部と、この基部とそれとの間で中心空腔を形成する折り畳み可能なカバーとを含む。
【００１３】
平坦な基部は、様々な形状にて構成することができる。例えば、この基部は円形や矩形や楕円形や他の任意の二次元形状とすることができる。さらに、平坦な基部を複数部品で構成し、紙や厚紙やプラスチック、ましてや金属等の各種材料で構成することができる。
【００１４】
一方で、カバーはほぼ平坦な構造からドーム状構造まで可撓性でかつ可伸長性としてある。その収容構造にあっては、カバーは第１と第２の湾曲側面と第１と第２の端部とを有する本体部の付いた可伸長弧状本体部を含む。好ましくは、ここではエッジとも呼ぶ一方の側面を接着剤や他の手段により平坦な基部に固定する。カバーが伸長すると、カバーのエッジが同一平面内に来るまでエッジもまたほぼ１８０度回動する。カバーの弧状構成の結果として、カバーの伸長がドーム状構造を生み出し、カバーと基部との間に空腔を形成する。
【００１５】
本願明細書に定義する如く、カバーはギフト包装パッケージの中心空腔内にギフトを配置できるよう収縮させた開放状態を含む。一方で、ギフト包装パッケージの閉包状態は、折り畳み可能なカバーを伸長させてカバーのエッジを単一面内に維持して平坦な基部に係合する周縁を形成するようにしたときに生み出される。カバーを閉包状態に配置することで、折り畳み可能なカバー本体によりギフト包装パッケージの中心空腔内への視界は遮られる。
【００１６】
カバーは、これらに限定はしないが、紙やプラスチックやマイラーや繊維を含む多数の可撓性材料のいずれかで構成し、カバーの第２のエッジが平坦な基部に係合するまでカバーを回動させ伸長させられるようにできる。例えば、カバーは扇式折り畳み紙等で構成することができる。さもなくば、カバーは紙や或いはそれ自体を支持する構造を有するか或いはカバーと平坦な基部とに固定したワイヤにより補強した他の可撓性材料で構成することができる。
【００１７】
さらに、折り畳みカバーは各種形状で構成することができる。例えば、閉包状態にあるときに、弧状カバーは半球構成を形成する半円形状とすることができる。さもなくば、この筺体は平坦な基部の頂部に座す準楕円形状を生成すべく半楕円形状をもって構成することもできる。加えて、好適な実施形態では、カバーにはカバー外面に印刷した奇抜な意匠を含めることができる。各種の装飾的追加物もまたカバー内に取り込み、さらに追加的な装飾改善をもたらすことができる。
【００１８】
カバーは、各種公知の構造を用いて閉包位置に保つことができる。例えば、カバーはテープや接着剤や留め金やマジックテープやストリングタイや当業者が選択することのできる他の構造を用いて閉包状態に保つことができる。
【００１９】
さらに、ギフト包装パッケージには様々な改変を施すことができ、また本発明の趣旨ならびに範囲を逸脱することなく施せる。例えば、代替実施形態では、カバーは１以上の部品で構成する。この実施形態については、ギフト包装パッケージは、それらのエッジを係合させ、それによって封入カバーが被遮断中心空腔を形成するまで、長手方向軸周りにそれらの個別端部を回動させて両カバー部品を合体させることで閉じる。ギフトが構造の基部に荷重を及ぼさないようにすべく、ギフトの重量が基部ではなくパッケージのエッジにより支えられるよう糸／袋を付加する。
【００２０】
本発明のさらに追加の実施形態では、ギフト包装パッケージは平坦な基部とドーム状カバーとの間に配置した中間体部を含む。中間体部は管状をなし、折り畳み可能なカバーを閉包状態に配置したときにカバーの周縁に係合するよう構成した断面を有する。好適な実施形態では、中間部は収縮位置から伸長位置へ伸縮自在としてある。より具体的には、中間部は好ましくはこの中間部を低姿勢へ伸縮自在に収縮させるが中心空腔を拡大するよう伸長もする複数の折り畳み要素を含む。
【００２１】
本発明のさらなる追加の改変を、為すことができる。例えば、ギフト包装パッケージはこのギフト包装パッケージを携帯をより簡単化する把手を含む。把手には、様々な形状を持たせることができる。しかしながら、好ましくは把手は、基部に固定してパッケージカバー上を延びて人の手に保持される１以上の紐を含む。この紐は基部からカバー全体を巻いて延ばすか、さもなくばこの紐をカバー内に形成した孔を介して基部から上方へ延ばすことができる。加えて、ギフト包装パッケージには鉤要素或いは他の吊り要素を含め、包装したパッケージをクリスマスツリーや暖炉や窓装飾等の対象に吊るせるようにできる。
【００２２】
かくして、ギフトの包装と贈り用に廉価で使用が簡単なパッケージを提供することが、本発明の一つの目的である。
【００２３】
従来のパッケージよりも大きな視覚的魅力をもたらすギフト包装パッケージを提供することもまた、本発明の一つの目的である。
【００２４】
本発明のこれらと他ならびにより具体的な目的は、図面と併せ取り込む下記の詳細な説明から当業者には明白となろう。
【発明を実施するための最良の形態】
【００２５】
本発明は図面に示した各種形状の実施形態の余地があるが、本開示を本発明の一例示とし見なし、本発明を例示した具体的実施形態に限定する意図がないとの理解をもって、本発明の目下の好適な実施形態をこの後に説明することにする。
【００２６】
図面を参照するに、本発明のギフト包装パッケージ１は平坦な基部５とカバー１３とを含む。図２Ａと図３Ａと図５に示す如く、ギフト３は特別な行事に人々に贈り物するパッケージの中心空腔２７内に配置してある。
【００２７】
平坦な基部５はほぼ二次元であり、各種の二次元形状にて構成することができる。例えば、図１〜図３では、基部は円形をなす。図５に示す如く、基部は楕円形状に構成することができる。加えて、この基部は無限の数の形状にて構成し、奇抜な外観やカバー１５が係合する嵌合面やギフト３を支持する基台を配設することができる。好ましくは、基部は紙や厚紙やプラスチックや他の廉価な軽量な材料等の一体型材料で構成してある。しかしながら、図４Ａに示す如く、基部５は複数部品で構成してヒンジ１１等により互いに合体させることができる。都合よくは、ヒンジ１１が出荷或いは包装用に基部をよりコンパクトな構造へ折り畳めるようにする。
【００２８】
このカバー１３は、基部を覆うドーム状ハウジングを提供する伸縮可能な構造をなす。図１Ａと図４Ａと図８Ａに示す如く、カバー１３が収縮した「開放」状態にあるとき、このカバーはそれらの端部１８にて終端させた第１と第２の弧状エッジ１７を含む。カバーが伸長すると、このカバーはさらに大半の図面に示した伸長本体部１５を含む。カバーは、任意の可撓性或いは可伸長材料で構成することができる。しかしながら、好適な実施形態では、カバー１３を紙で作成し、カバーを扇様態様で伸縮できるようにする複数の折り畳み線を含ませる。さらに、カバーの剛性が重要である場合、ギフト包装パッケージ１にはカバーを堅牢にして支持する１以上のリブ２１（図７に示す）と５７（図１４と図１５に示す）を含ませることができる。リブは、ワイヤ（図７参照）や厚紙やプラスチック（図１４と図１５参照）等のより厚肉の材料で作成する。さらに、リブはカバー内やカバー外部に配置したり、或いはカバー材料と一体に形成してまでもギフト包装パッケージに対し追加の強度と剛性を持たせるようにできる。
【００２９】
カバーは、様々な方法で伸長させてドーム状構造を作り出すことができる。例えば、図１Ａ〜図１Ｃに示す如く、好適な収縮状態のカバー１３に半円形断面を持たせ、それによって半円形エッジ１７を形成する。伸縮している間、カバーはこのカバーの両エッジ１７が基部５に係合して半球状構造を有するドームを形成するまで軸２３周りを回動する。
【００３０】
本発明の代替実施形態では、図５に示す如く、カバーは図１Ａ〜図１Ｃに示したように伸縮させる際に１８０度回動させることができる。しかしながら、カバー１３は基部５の長さに沿って側方に延びるよう構成することもできる。この構造は、細長い基部と好ましくはカバー本体内に形成した孔を挿通するレール３３とを含む。レールは、基部に対する係合を維持したままカバー１３が側方に伸長できるようにするものである。図１Ａ〜図１Ｃに示す如く、カバーは一体品で構成することができる。さもなくば、図２Ａ，２Ｂと図４Ａ，４Ｂに示す如く、カバーは複数部品により構成することができる。図面に示した如く、好適な実施形態では、カバーは２部品構成にて配設する。好ましくは、各部品の一方のエッジを基部５に固定し、反対側のエッジを収縮させ或いは合わせ相互に係合させ、それによってカバー１３を閉じるよう可動とする。
【００３１】
このカバーは、当業者には公知の各種ファスナを用いて閉包状態に保つことができる。例えば、カバーが一体型構成であるか或いは複数部品の構成であるかによらず、カバーはテープや接着剤やリボンやステーブルや鉤やパイルファスナ等を用いて閉包状態に保つことができる。
【００３２】
本発明のさらに追加の好適な実施形態は、図３Ａや図３Ｂに示す如く、パッケージ化するギフト包装パッケージを人が携帯し或いは吊るすのを支援する構成を含ませることができる。例えば、このパッケージは人がパッケージを携帯するのを支援する構成とした把手や輪っかや鉤を含めることができる。さもなくば、この把手や輪っかや鉤或いは他の同様の構成を用い、ギフト包装パッケージをクリスマスツリーの枝や暖炉や窓カーテンロッド等の他の対象に吊るすこともできる。当業者には理解される如く、ギフト包装パッケージはそれによって環境の視覚的魅力を高めるとともに贈呈への感謝とパッケージ内の贈り物への期待とを増すクリスマスツリー飾りとして機能する。
【００３３】
図１４と図１５に示す如く、好適な実施形態では、綿やナイロン等の軟質の強靭な材料で出来た１以上の紐５１の形をした把手が配設してある。紐の端部は、接着剤を使用するか或いは基部内に紐端を挿通させる孔を形成すること等により、当業者には決めることができる何らかの手段により取着点５５において基部５に固定する。紐端は基部芯内に固定することができ、或いは紐端に結び目を形成して基部からの紐端の離脱を防止することができる。図１４と図１５に示す如く、カバーが補強リブ５７を含む場合、リブ５７内に形成された孔を挿通させて紐を延ばし、ギフト包装パッケージを把手により携帯するときに紐がカバーを引き裂く癖を低減することが好ましい。
【００３４】
把手の紐５１は、カバー１３周りに伸長するよう構成することができる。さもなくば、図１４と図１５に示す如く、紐５１をカバー１３内に形成された孔５３を介して突出させるよう引き出す。また、代替例として、図１４に示す如く、紐０を整列させてギフト包装パッケージに対し長さ方向に延ばすか、或いは紐を整列させて図１５に示す如くギフト包装パッケージの頂部を横切って延ばすこともできる。
【００３５】
本発明のさらに追加の実施形態では、ギフト包装パッケージ１は図６Ａと図６Ｂに示す照明３５を含む。この照明は、好ましくはパッケージの中心空腔２７内に配置する。カバー１３は好ましくは半透明である紙等の軽量の材料で出来ているため、光源がより一層大きな視覚的魅力を有するギフト包装パッケージを作り出す。
【００３６】
ギフト３が特に大型である場合、本発明の一つのギフト包装パッケージは基部５とカバー１３との間に位置する中間体部４３を含ませることができる。図８Ａ〜８Ｃと図９に示す如く、中間体部４３は好ましくは管状をなし、伸長する。カバー同様、この中間体部は各種の仕方で構成することができる。例えば、本体部に単一の螺旋状ワイヤリブにより支える単純な管状紙構成を含ませることができる。この中間体部は、そこでコイルと同様の仕方で伸縮させることができる。さもなくば、中間体部を折り畳み線２０を用いて構成し、扇に似た態様で伸縮できるようにすることもできる。図８に示す如く、収縮開放位置にあっては、中間体部を低姿勢へ圧縮し、カバーをほぼ平坦な弧状状態へ収縮させる。ギフト包装パッケージを閉包状態に形成すべく、図８Ｂでは中間体部４３は伸長させて図示してある。その後、カバー１３はカバーエッジ１７をエッジが中間体部４３に係合するまで軸２３の周りを回動態様にて上方かつ外方へ手で押して閉じる。
【００３７】
本発明のギフト包装パッケージの各種改変は、本発明の趣旨ならびに範囲を逸脱することなく施すことができる。例えば、図１０〜図１２に示す如く、伸縮する中間部を含むギフト包装パッケージを無数の形状と寸法で構成することができる。例えば、ほぼ一定寸法とした管状の中間部を含む図１０のギフト包装パッケージは、ワインボトルを贈るのに特に適したものである。一方で、図１１と図１２はさらに昔ながらの矩形或いは細長い形状の贈り物を有するギフト用に構成したギフト包装パッケージを示すものである。
【００３８】
ギフト包装パッケージは、様々な装飾的要素を含むよう構成することもできる。例えば、パッケージを様々な色や記号や意匠で装飾して奇抜な外観を持たせることもできる。加えて、図４Ａ〜図４Ｃに示したように、奇抜な動物や他の装飾構成を形成する付加物３１等の各種装飾要素を用いてカバーを引き立たせることができる。さもなくば、図１３Ａ，１３Ｂに示す如く、ギフト包装パッケージに特大の基部５を含ませることもできる。筺体を越える基部の伸長部が、加飾や立体模型景観向け、或いはギフトの贈り主からのグリーティングカード等のメッセージ提示のための場所をもたらす。加えて、基部伸長部を野球帽の庇に似た構成とした図１３Ａ〜図１３Ｃに示す如く、基部伸長部を装飾的造形として機能させることができる。
【００３９】
本発明の特定の好適な実施形態をここに説明してきたが、本発明の趣旨ならびに範囲を逸脱することなく、ギフト包装パッケージの構成や材料や形状において変形が可能であることは理解されたい。当業者がそれを作成して使用できるようにする点について本発明を記述し、その目下の好適な実施形態を特定したので、然るべく特許請求するものである。
【図面の簡単な説明】
【００４０】
【図１Ａ】筺体が開放状態にある本発明のギフト包装パッケージの第１実施形態の斜視図である。
【図１Ｂ】筺体が閉包状態へ移動している図１Ａに示したギフト包装パッケージの斜視図である。
【図１Ｃ】筺体が完全に閉包状態にある図１Ａのギフト包装パッケージを示す斜視図である。
【図２Ａ】開放状態にある筺体を有する本発明のギフト包装パッケージの第２実施形態を示す斜視図である。
【図２Ｂ】筺体が閉包状態にある図２Ａのギフト包装パッケージを示す斜視図である。
【図３Ａ】把手を含む本発明のギフト包装パッケージの第３実施形態である。
【図３Ｂ】筺体が閉包状態にある図３Ａに示したギフト包装パッケージの第３実施形態を示す斜視図である。
【図４Ａ】筺体を開放位置に置いた本発明のギフト包装パッケージの第４実施形態を示す斜視図である。
【図４Ｂ】筺体が閉包位置へ移動中の図４Ａに示したギフト包装パッケージを示す斜視図である。
【図４Ｃ】筺体を閉包状態に置き、筺体に取り付けられて奇抜な外観をもたらす各種装飾的要素を含む図４Ａに示した本発明のギフト包装パッケージを示す斜視図である。
【図５】筺体を細長くし、レールにより開放状態から閉包状態へ制御する本発明の第５実施形態を示す斜視図である。
【図６Ａ】内部光源を含む本発明のギフト包装パッケージを示す斜視図である。
【図６Ｂ】筺体を閉包状態に置いた図６Ａに示したギフト包装パッケージを示す斜視図である。
【図７】筺体を支持するワイヤリブをさらに含む本発明のギフト包装パッケージの側面図である。
【図８Ａ】可伸長中間部を含む本発明のギフト包装パッケージのさらに追加の実施形態を示す斜視図である。
【図８Ｂ】中間部を環状構造へ伸長させた図８Ａに示したギフト包装パッケージを示す斜視図である。
【図８Ｃ】閉包状態にある図８Ａのギフト包装パッケージを示す斜視図である。
【図９】筺体が楕円形状を含む本発明のギフト包装パッケージの別の実施形態を示す斜視図である。
【図１０】円形の伸長中間部を含む本発明のギフト包装パッケージのさらに別の実施形態の斜視図である。
【図１１】矩形の伸長中間部を含む本発明のギフト包装パッケージのさらに別の実施形態を示す斜視図である。
【図１２】湾曲エッジ付き伸長中間部を含む本発明のギフト包装パッケージのさらに別の実施形態を示す斜視図である。
【図１３Ａ】筺体が開放状態にある伸長基部を含む本発明のギフト包装パッケージの第１実施形態の斜視図である。
【図１３Ｂ】筺体が閉包状態へ移動中の図１３Ａに示したギフト包装パッケージの斜視図である。
【図１３Ｃ】筺体が閉包位置にある図１３Ａのギフト包装パッケージを示す斜視図である。
【図１４Ａ】開放状態において基部へ固定した把手を含む本発明のギフト包装パッケージの一実施形態の斜視図である。
【図１４Ｂ】筺体が閉包状態へ移動中の図１４Ａに示したギフト包装パッケージの斜視図である。
【図１４Ｃ】筺体が閉包状態にある図１４Ａに示したギフト包装パッケージの斜視図である。
【図１５Ａ】開放状態において基部へ固定した把手を含む本発明のギフト包装パッケージの第２実施形態の斜視図である。
【図１５Ｂ】筺体が閉包状態へ移動中の図１５Ａに示したギフト包装パッケージの斜視図である。
【図１５Ｃ】筺体が閉包状態にある図１４Ａに示したギフト包装パッケージの斜視図である。
【符号の説明】
【００４１】
１  ギフト包装パッケージ
３  ギフト
５  基部
１１  ヒンジ
１３  カバー
１５  本体部
１７  弧状エッジ、半円状エッジ、カバーエッジ
１８  端部
２０  折り畳み線
２１，５７  リブ
２３  軸
２７  中心空腔
３１  追加物
３３  レール
３５  照明
４３  中間体部
５１  紐
５３  孔
５５  取着点
５７  補強リブ
【図１Ａ】
2008545593.tif 000003
【図１Ｂ】
2008545593.tif 000004
【図１Ｃ】
2008545593.tif 000005
【図２Ａ】
2008545593.tif 000006
【図２Ｂ】
2008545593.tif 000007
【図３Ａ】
2008545593.tif 000008
【図３Ｂ】
2008545593.tif 000009
【図４Ａ】
2008545593.tif 000010
【図４Ｂ】
2008545593.tif 000011
【図４Ｃ】
2008545593.tif 000012
【図５】
2008545593.tif 000013
【図６Ａ】
2008545593.tif 000014
【図６Ｂ】
2008545593.tif 000015
【図７】
2008545593.tif 000016
【図８Ａ】
2008545593.tif 000017
【図８Ｂ】
2008545593.tif 000018
【図８Ｃ】
2008545593.tif 000019
【図９】
2008545593.tif 000020
【図１０】
2008545593.tif 000021
【図１１】
2008545593.tif 000022
【図１２】
2008545593.tif 000023
【図１３Ａ】
2008545593.tif 000024
【図１３Ｂ】
2008545593.tif 000025
【図１３Ｃ】
2008545593.tif 000026
【図１４Ａ】
2008545593.tif 000027
【図１４Ｂ】
2008545593.tif 000028
【図１４Ｃ】
2008545593.tif 000029
【図１５Ａ】
2008545593.tif 000030
【図１５Ｂ】
2008545593.tif 000031
【図１５Ｃ】
2008545593.tif 000032
【国際調査報告】
2008545593.tif 000033
2008545593.tif 000034
2008545593.tif 000035
2008545593.tif 000036